(57)【特許請求の範囲】
【請求項１】
モーターを備えた回転駆動部を内装した把手の先部に、把手と一体に連結した長尺の保護パイプ体を設け、伸縮可能な多重筒体構造にして、基部が回転駆動部と連結して回転し、且つ伸長時に先部側が保護パイプ体から突出する回転パイプ体を、前記保護パイプ体の内方に設け、前記回転パイプ体の先端に、グラスファイバーや、カーボン繊維、竹等の材料を使用して、釣り竿の先端側竿杆のような充分な可撓性と強靭性を兼ね備えた細棒状の箒体を回転パイプ体と一体に回転するように装着してなる掃除具において、回転パイプ体を、抜き差し自在で且つ収納時に少なくとも内方側のパイプ体が外方側のパイプ体よりも先端部分が突出する多重筒体構造にすると共に、伸長時に各外方側パイプ体のテーパー状先部に内方側パイプ体のテーパー状基部が密嵌して一体に連結される形状に形成してなることを特徴とする掃除具。
【請求項２】
多重筒体を構成する保護パイプ体の各パイプ体の短縮時に、各パイプ体の基部が密着外嵌合できるように円柱体を階段状に先細とした回転伝達体を、回転駆動部と連結して把手から突出させて設けてなる請求項１記載の掃除具。
【請求項３】
多重筒体を構成する保護パイプ体の各パイプ体の短縮時に、各外方側のパイプ体の先端に内方側のパイプ体の先部が密嵌して短縮状態で一体に連結される形状に形成し、最外方のパイプ体を回転駆動部と連結してなる請求項１記載の掃除具。
【請求項４】
把手の外層部分を多重筒体として、外層部を伸縮自在にしてなる請求項１乃至３記載の何れかの掃除具。
【請求項５】
保護パイプ体を多重筒体として伸縮自在とし、短縮時に、短縮状態の回転パイプ体の先部のみが突出する長さとしてなる請求項１乃至４記載の何れかの掃除具。
【発明の詳細な説明】
【０００１】
【産業上の利用分野】
本発明は、天井の蜘蛛巣払い、壁や天井の煤払い、家具の隙間並びに排水管内等の狭い箇所や離れた箇所の清掃に適する掃除具に関するものである。
【０００２】
【従来の技術】
天井の煤取りや蜘蛛巣取りに使用する清掃器具は、実開昭６０−１０３４７０号公報及び登録実用新案第３０１３８３６号公報に開示されている。
【０００３】
前者の具体的構成は、回転駆動部を内装した把持部と、この把持部に固定され外方に延設した中空管体と、中空管体内回転自在に支持される回転軸とを備え、回転軸の先端部分に、可撓性接続具を介して、割り箸のような角柱体（箒棒）を装着するようにして、天井等の高所面に各柱体を添わせて回転させて、蜘蛛巣を巻き取るようにしている。
【０００４】
また後者は、管状の柄の基部に電池を内装し、先端部内にモーターを内蔵して、柄の先端にモーターと連結した巻き取り棒（箒棒）を設けてなり、巻き取り棒として木材、竹、プラスチック、ピアノ線等を使用したり、その表面にゴム質やスポンジ等の緩衝体を設け、前記の蜘蛛巣取り器具と同様に巻き取り棒を回転させて、蜘蛛巣を巻き取るようにしたものである。
【０００５】
【発明が解決しようとする課題】
蜘蛛巣取り用の清掃具は、天井などの高所に対して使用するものであるから当然その全長は相応に長くなければならないことは当然である。ところでこのように長い器具は、収納運搬等に不都合であるが、前記した従前の器具は、単に先端の短い箒棒（各柱体、巻き取り棒）の着脱を行う程度である。
【０００６】
そこで本発明は、非使用時及び使用時には、その全長を短くすることができ、その取り扱いを容易にした新規な清掃具を提案したものである。
【０００７】
【課題を解決するための手段】
本発明に係る清掃具は、モーターを備えた回転駆動部を内装した把手の先部に、把手と一体に連結した長尺の保護パイプ体を設け、伸縮可能な多重筒体構造にして、基部が回転駆動部と連結して回転し、且つ伸長時に先部側が保護パイプ体から突出する回転パイプ体を、前記保護パイプ体の内方に設け、前記回転パイプ体の先端に、グラスファイバーや、カーボン繊維、竹等の材料を使用して、釣り竿の先端側竿杆のような充分な可撓性と強靭性を兼ね備えた細棒状の箒体を、回転パイプ体と一体に回転するように装着してなる掃除具において、回転パイプ体を、抜き差し自在で且つ収納時に少なくとも内方側のパイプ体が外方側のパイプ体よりも先端部分が突出する多重筒体構造にすると共に、伸長時に各外方側パイプ体のテーパー状先端に内方側パイプ体のテーパー状基部が密嵌して一体に連結される形状に形成してなることを特徴とするものである。
【０００８】
従って回転パイプ体を伸長して各パイプ体を一体化し、先端部分に装着された箒体を回転させることで、離れた箇所を前記箒体で清掃を行うことができると共に、回転パイプ体の伸縮によって器具の全長を使用時には長く、収納時には短くすることができ、不使用時には、回転パイプ体を短縮して保護パイプ体に収納できるようにしたものである。
【０００９】
【発明の実施の形態】
＜第一実施形態＞図１から図６は本発明の第一実施形態を示すもので、この実施形態は把手１と、保護パイプ体２と、回転パイプ体３と、箒体４とで構成される。
【００１０】
把手１は、ケース状の本体１１内に、回転駆動源となるモーター及びモーターの電源となる電池を内装してなり、電池は充電式電池とし、適宜箇所に充電用接続部を設け、更にモーターに対して給電方向の切り替え接続を行う選択接続スイッチ１２を設けて、モータの回転方向切り替えを可能としたものである。
【００１１】
また把手本体１１の先端部に、保護パイプ体２ａ取付部１３と、回転駆動部と連結した回転伝達体１４を設けたもので、取付部１３は、把手本体１１の先端に筒状に突設し、内周面にネジ溝を形成してなり、回転伝達体１４は、把手１内のモーター回転軸と連結したもので、取付部１３の中心線上に位置せしめてなり、その形状は、円柱体を階段状に先部を細くしたもので、特に各径は、後述する回転パイプ体の各継ぎパイプ体の基端部分が密着外嵌合される大きさとしたものである。
【００１２】
保護パイプ体２は、基部に前記取付部１３に螺合するネジ部を設けたもので、ネジ部の螺合で把手１と連結するものである。
【００１３】
回転パイプ体３は、テーパー状の多重筒体とし、引き出すことで継ぎ状態となる継ぎパイプ体３ａ，３ｂ，３ｃで構成されるものである。
【００１４】
この各継ぎパイプ体３ａ，３ｂ，３ｃは，その基部側（外方側）の継ぎパイプ体の先端３１に、先部側（内方側）の継ぎパイプ体の基端３２が密嵌し、内方側パイプ体が外方側パイプ体に差し入れられると、内方側パイプ体が外方側パイプ体との連結状態が解除される構造である。即ち振り出し釣り竿と同様な構造である。
【００１５】
また各継パイプ体の各基端３２は、前記したとおり円柱階段状の回転伝達体１４に外嵌合で連結することでき、特に最内方（最先方）の継ぎパイプ体３ｃ内に箒体４を内挿してなる。
【００１６】
箒体４は、箒作用を備えた例えばグラスファイバーや、カーボン繊維、竹等の材料を使用して、釣り竿の先端側竿杆のような充分な可撓性と強靭性を兼ね備えた適宜長さの細棒状であり、その基端４は、最先方継ぎパイプ体３ｃの先端部の内周面に密嵌して抜けないように形成したものである。
【００１７】
而して前記清掃具は、継ぎパイプ体３ａ〜３ｃの全てを引っ張り出すと、基部方側（外方側）の先端部３１に、先部側（内方側）の基端部３２が密嵌合して、全体が連結されて（図１イ）、そこでモーターを動作させると、回転パイプ体３及び箒体４が回転することになり、高所や手の届かない狭い所に箒体４を差しのばすと、当該箇所の蜘蛛巣Ａを絡め取ることができる。
【００１８】
又図６に示す通り箒体４の先端部分を適宜範囲で壁面Ｂや天井面Ｃに当接し、箒体４を回転させると、塵芥を壁面等の付着面から剥がすことができ、図７に例示するように家具Ｄと床Ｅとの間隙に箒体４の先方部分を差し入れることが可能となり、箒体４を回転駆動させることで当該箇所の清掃を行うことができるものである。また前記の清掃作業以外でも、箒体４を後述する塵芥の拭き取り用や、削り落とし用の部材等の目的に応じた形態のものを採用すると、より以上の清掃効果を高めることができる。
【００１９】
また特に本発明は、器具の全長を調整して使用できるものである。即ち中間継ぎ手パイプ体３ｂを基部方向に押し込むと、基方継ぎパイプ体３ａとの連結状態が解除されるが、中間継ぎパイプ体３ｂの基端部３２ｂが回転伝達体１４に密嵌合して連結されるので、全体が少し短い状態で清掃作業に使用することができる（図１ロ）。更に同様に先方継ぎパイプ体３ｃを押し込み中間継ぎパイプ体３ｂとの連結を解除しても、先方継ぎパイプ体３ｃの基端部を回転伝達体１４に連結すると、最短状態での使用が可能となる（図１ハ）。
【００２０】
尚前記の継ぎパイプの段数は、任意に定められるものであり、その際には回転伝達体の段数も増加させれば良いものである。更に前記回転伝達体は、円柱体の複数段数としたものであるが、それに代えて円錐形状として、各継ぎパイプ体の基端を外嵌合して連結する構造としても良い。また保護パイプ体２が無くとも充分清掃具として使用できるものである。
【００２１】
＜第二実施形態＞  図８〜１０は、本発明の第二実施形態を示したものである。この実施形態は、前記第一実施形態の回転伝達体１５の採用をせずに、各継ぎパイプ体伸縮状態でも箒体に回転が伝わるようにしたものである。
【００２２】
即ち内外の継ぎパイプ体３ｄ、３ｅにおいて、外方側継ぎパイプ体３ｄの先端３１ｄに、内方側継ぎパイプ体３ｅの基端３２ｅが密嵌し、内方側継ぎパイプ体３ｅが外方側の継ぎパイプ体３ｄに差し入れられると、内方側の継ぎパイプ体３ｅが外方側の継ぎパイプ体３ｄとの連結状態が解除される構造で、更に各内方側となる継ぎパイプ体３ｅの先端外周に、外方側の継ぎパイプ体３ｄの内周面に密嵌合する鉢巻き部３３ｅを設けたものである。
【００２３】
従って伸長時は前記実施形態と同様であるが（図８）、内方継ぎパイプ体３ｅを外方継ぎパイプ体３ｄに押し込んだ状態では自由にスライドし（図９）、内方継ぎパイプ体３ｅの鉢巻き部３３ｅが、外方継ぎパイプ体３ｄの先端３１ｄの内周面に密嵌合すると、両継ぎパイプ体３ｄ，３ｅは連結状態となり（図１０）、一体に回転可能となるものである。
【００２４】
従って前記構造でも、回転パイプ体を複数の継ぎパイプ体で構成しても、その全長を適宜調整した状態でも箒体を回転させて掃除具として使用できるものである。
【００２５】
＜第三実施形態＞  図１１、１２は、本発明の第三実施形態を示すもので、この実施形態は、特に器具の収納時のコンパクト化を実現したもので、その基本構成は、前記第一実施形態と同様で、把手１Ａ、保護パイプ体２Ａと、回転パイプ体３と、箒体４Ａとで構成される。
【００２６】
特に第一実施形態との相違点のみについて説明すると、把手１Ａは、その把手本体（外層部分）を多重筒体１１ａ，１１ｂ，１１ｃとして伸縮自在に形成してなり、保護パイプ体２Ａも、二重筒体（内外パイプ体）２１、２２にして伸縮自在とし、更に箒体４Ａも、基部箒体４１先部箒体４２の二分割とし、且つ両者は継ぎ連結及び分離可能としたものである。
【００２７】
また特に先部箒体４２は、アタッチメント部材として図１２に示すように種々の形態のものを用意しておくと、便利である。例えば（イ）の先部箒体４２ａは、芯棒体４２１の表面に、繊維や糸の植毛４２２を施したものであり、（ロ）の先部箒体４２ｂは、芯棒体４２１の表面に、小さい多数の布帛４２３を植え付けたもので、埃の拭き取りに使用できる。また（ハ）の先部箒体４２ｃは、芯棒体４２１の先端を縦長に分割した細線体４２４としたしたものであり、（ニ）の先部箒体４２ｄは、芯棒体４２１の先端を紐体４２５を結着したしたもので、前記両者は、その回転によってフレアー状に拡がり、広い範囲の蜘蛛の巣の巻き取りやその他の清掃に便利である。更に（ホ）の先部箒体４２ｅは、芯棒体４２１の表面に、砥粒４２６を接着してなるもので、強く付着した汚れに対して削り落としによる清浄化を実施できる。
【００２８】
而して把手１Ａ、保護パイプ体２Ａ、回転パイプ体３は多重筒体構造としたものであるから、非使用時には、先部箒体４２を除き全てを短縮でき、使用時の全長の約４分の１の長さまで短くすることができるものである。又先部箒体４２の選択的装着によって最も清掃効率が上がる形態の箒体を使用できる利点がある。
【００２９】
尚本発明は前記実施形態に限定されるものではなく、例えば、第三実施形態で示した先部箒体を、他の実施形態の箒体にそのまま採用しても良いし、又は分割して先部箒体の選択着脱可能な構造としても良い。
【００３０】
【発明の効果】
以上のように本発明は、把手に内装した回転駆動部で箒体を回転させる清掃具に於いて、箒体を装着して箒体に回転駆動を伝達する回転パイプ体を、抜き差し自在の多重筒体構造にして、且つ全体が一体回転する連結多段構造を採用したものであるから、回転パイプ体を短い状態でもまた長い状態でも器具の使用が可能であり、更に収納時のコンパクト化を実現し、より取り扱い易い器具としたものである。
【図面の簡単な説明】
【図１】本発明の第一実施形態の全体図（使用時の長さ調整例）。
【図２】同分解説明図。
【図３】同要部断面図（伸長時）。
【図４】同要部断面図（短縮時）。
【図５】同使用状態の説明図（蜘蛛の巣取り作業）。
【図６】同使用状態の説明図（壁面等への使用例）。
【図７】同使用状態の説明図（狭所への使用例）。
【図８】同第二実施形態の説明図（回転パイプ体の伸長時）。
【図９】同図（回転パイプ体のスライド移動時）。
【図１０】同図（回転パイプ体の短縮時）。
【図１１】本発明の第三実施形態の全体図。
【図１２】同各種箒体の説明図。
【符号の説明】
１，１Ａ  把手
１１    把手本体
１１ａ，１１ｂ，１１ｃ    外層部
１３    取付部
１４    回転伝達体
２，２Ａ  保護パイプ体
２１，２２  内外パイプ体
３    回転パイプ体
３ａ，３ｂ，３ｃ，３ｄ，３ｅ  継ぎパイプ体
３１  先端
３２  基端
３３  鉢巻き部
４，４Ａ    箒体
４１    基部箒体
４２，４２ａ，４２ｂ，４２ｃ，４２ｄ，４２ｅ  先部箒体
４５１  芯棒体
４５２  植毛
４５３  布帛
４５４  細線体
４５５  紐体
４５６  砥粒
【図１】
0004170477.tif 000002
【図２】
0004170477.tif 000003
【図３】
0004170477.tif 000004
【図４】
0004170477.tif 000005
【図５】
0004170477.tif 000006
【図６】
0004170477.tif 000007
【図７】
0004170477.tif 000008
【図８】
0004170477.tif 000009
【図９】
0004170477.tif 000010
【図１０】
0004170477.tif 000011
【図１１】
0004170477.tif 000012
【図１２】
0004170477.tif 000013